(57)【要約】【課題】蓄電池に過酷な使用状態をとらせなくして蓄電池の劣化を低く抑えることができる電力供給システムの蓄電池動作制御装置を提供する。【解決手段】電力供給システムには、同システムの使用電源を設定する際に使用するマップ５２が用意されている。電力供給システムにかかる負荷電力Ｗｐが負荷電力閾値Ｘ未満で、かつ蓄電池４３の電池残量Ｖｄが電池残量閾値Ｙ以上の場合には、システム電源として蓄電池４３を使用する。また、負荷電力Ｗｐが負荷電力閾値Ｘ以上で、かつ蓄電池４３の電池残量Ｖｄが電池残量閾値Ｙ以上の場合には、システム電源を蓄電池４３及びＡＣ／ＤＣコンバータ４４ａの２者から供給する。【選択図】図３
2011083059.tif 000002
【特許請求の範囲】
【請求項１】
系統又は自立発電電池から得た電圧を電圧変換しつつ同電圧を分岐させて各負荷に供給し、前記系統又は前記自立発電電池のバックアップ用電源として蓄電池を搭載した電力供給システムの蓄電池動作制御装置において、
電力供給状態にある負荷の総量を検出する負荷容量検出手段と、
前記負荷容量が負荷閾値未満の際、前記蓄電池のみでの電力供給を許可し、前記負荷容量が前記負荷閾値以上の際、前記蓄電池のみでの電力供給を不可とする蓄電池制御手段と
を備えたことを特徴とする電力供給システムの蓄電池動作制御装置。
【請求項２】
前記蓄電池の残量を検出する蓄電池残量検出手段を備え、
前記蓄電池制御手段は、前記蓄電池の電池残量が残量閾値以上の際、前記蓄電池を用いた電力供給を許可し、前記電池残量が残量閾値未満の際、前記蓄電池を用いた電力供給を不可とすることを特徴とする請求項１に記載の電力供給システムの蓄電池動作制御装置。
【請求項３】
前記残量閾値は、バックアップとして前記蓄電池が最低限蓄えておかねばならない電池残量、又は前記蓄電池が過放電にならない電池残量のいずれか一方であることを特徴とする請求項２に記載の電力供給システムの蓄電池動作制御装置。
【発明の詳細な説明】
【技術分野】
【０００１】
本発明は、蓄電池の使用状態を管理する電力供給システムの蓄電池動作制御装置に関する。
【背景技術】
【０００２】
住宅には、商用電源のＡＣ電圧をＤＣ電圧に変換して宅内の各種機器に供給する電力供給システム（特許文献１等参照）が設けられている。近年の電力供給システムの中には、太陽光による発電によって電力を生成する太陽電池を設け、商用電源のみならず、太陽電池でも各種機器にＤＣ電力が可能なものも普及し始めてきている。また、電力供給システムには、同システムのバックアップ用電源として蓄電池が設けられたものもあり、料金の安い夜間の商用電源や、昼間に余分に太陽光により発電することができた電力を蓄電池に蓄えておくことが可能となっている。
【先行技術文献】
【特許文献】
【０００３】
【特許文献１】特開２００９−１５９６９０号公報
【発明の概要】
【発明が解決しようとする課題】
【０００４】
ところで、蓄電池を電源として電力供給システムが稼働する際、場合によっては、電力の供給対象の負荷が多くなる、即ち負荷容量が大きくなることも想定されるが、このときは、蓄電池の電力をこれら負荷に一気に流し込む必要が生じる。ところで、蓄電池には、電力を急激に出力すると、その分だけ部品に劣化が生じるという欠点がある。このため、蓄電池を電源として動作する状況下において負荷容量が大きくなった際に、蓄電池から多量の電力を負荷容量に流してしまうと、その分だけ蓄電池が劣化し易くなるという問題があった。
【０００５】
本発明の目的は、蓄電池に過酷な使用状態をとらせなくして蓄電池の劣化を低く抑えることができる電力供給システムの蓄電池動作制御装置を提供することにある。
【課題を解決するための手段】
【０００６】
前記問題点を解決するために、本発明では、系統又は自立発電電池から得た電圧を電圧変換しつつ同電圧を分岐させて各負荷に供給し、前記系統又は前記自立発電電池のバックアップ用電源として蓄電池を搭載した電力供給システムの蓄電池動作制御装置において、電力供給状態にある負荷の総量を検出する負荷容量検出手段と、前記負荷容量が負荷閾値未満の際、前記蓄電池のみでの電力供給を許可し、前記負荷容量が前記負荷閾値以上の際、前記蓄電池のみでの電力供給を不可とする蓄電池制御手段とを備えたことを要旨とする。
【０００７】
この構成によれば、電力供給システムで管理する負荷が多数に亘ったり、或いは容量の大きな負荷に切り換えたりするなどして、管理対象となる負荷の容量（負荷容量）が大きくなる場合、蓄電池のみでの電力供給が不可となり、他の電源によって電力供給を補助する。このため、負荷容量が大きいときに、その電力を全て蓄電池からまかなわずに済むので、大電力を流し出すという負荷のかかる動作を蓄電池にとらせずに済む。よって、蓄電池を過酷な環境下で使用する頻度が少なく抑えられるので、その分だけ蓄電池を長寿命化することが可能となる。
【０００８】
本発明では、前記蓄電池の残量を検出する蓄電池残量検出手段を備え、前記蓄電池制御手段は、前記蓄電池の電池残量が残量閾値以上の際、前記蓄電池を用いた電力供給を許可し、前記電池残量が残量閾値未満の際、前記蓄電池を用いた電力供給を不可とすることを要旨とする。
【０００９】
この構成によれば、蓄電池の電池残量が多く残っている際には、蓄電池を電源とすることが許可され、蓄電池の電池残量が少ない際には、蓄電池の使用が不可となる。よって、蓄電池の残量が少ない際に蓄電池を電源として用いずに済むので、バックアップとして最低限必要な電力を蓄電池に持たせておくことが可能となる。
【００１０】
本発明では、前記残量閾値は、バックアップとして前記蓄電池が最低限蓄えておかねばならない電池残量、又は前記蓄電池が過放電にならない電池残量のいずれか一方であることを要旨とする。
【００１１】
この構成によれば、蓄電池の残量閾値を、蓄電池のバックアップの下限を見る電池残量と、蓄電池を痛めてしまう原因の過放電の発生有無を見る電池残量とのどちらかとしたので、残量閾値をより好適な値に設定することが可能となる。
【発明の効果】
【００１２】
本発明によれば、蓄電池に過酷な使用状態をとらせなくして蓄電池の劣化を低く抑えることができる。
【図面の簡単な説明】
【００１３】
【図１】第一実施形態における電力供給システムの構成を示すブロック図。
【図２】電源管理システムの構成を示すブロック図。
【図３】使用電源又はその組み合わせを設定する際に使用するマップ。
【図４】別例において使用するマップ。
【発明を実施するための形態】
【００１４】
以下、本発明の電力供給システムの蓄電池動作制御装置を住宅に具体化した第一実施形態を図１〜図３に従って説明する。
【００１５】
図１に示すように、住宅には、宅内に設置された各種機器（照明機器、エアコン、家電、オーディオビジュアル機器等）に電力を供給する電力供給システム１が設けられている。電力供給システム１は、系統２から得る商用交流電源（ＡＣ電源）を電力として各種機器を動作させる他に、太陽光により発電する太陽電池３の電力も各種機器に電源として供給する。太陽電池３は、例えば複数のセル４から構成されている。電力供給システム１は、直流電源（ＤＣ電源）を入力して動作するＤＣ機器５の他に、交流電源（ＡＣ電源）を入力して動作するＡＣ機器６にも電力を供給する。なお、太陽電池３が自立発電電池に相当し、ＤＣ機器５及びＡＣ機器６が負荷を構成する。
【００１６】
電力供給システム１には、同システム１の分電盤としてコントロールユニット７及びＤＣ分電盤（直流ブレーカ内蔵）８が設けられている。また、電力供給システム１には、住宅のＤＣ機器５の動作を制御する機器として制御ユニット９及びリレーユニット１０が設けられている。
【００１７】
コントロールユニット７には、交流電源を分岐させるＡＣ分電盤１１が交流系電力線１２を介して接続されている。コントロールユニット７は、このＡＣ分電盤１１を介して系統２に接続されるとともに、直流系電力線１３を介して太陽電池３に接続されている。コントロールユニット７は、ＡＣ分電盤１１から交流電力を取り込むとともに太陽電池３から直流電力を取り込み、これら電力を機器電源として所定の直流電力に変換する。そして、コントロールユニット７は、この変換後の直流電力を、直流系電力線１４を介してＤＣ分電盤８に出力したり、又は直流系電力線１５を介して蓄電池ユニット１６に出力して同電力を蓄電したりする。コントロールユニット７は、ＡＣ分電盤１１から交流電力を取り込むのみならず、太陽電池３や蓄電池ユニット１６の電力を交流電力に変換してＡＣ分電盤１１に供給することも可能である。コントロールユニット７は、信号線１７を介してＤＣ分電盤８とデータやり取りを実行する。
【００１８】
ＤＣ分電盤８は、直流電力対応の一種のブレーカである。ＤＣ分電盤８は、コントロールユニット７から入力した直流電力を分岐させ、その分岐後の直流電力を、直流系電力線１８を介して制御ユニット９に出力したり、直流系電力線１９を介してリレーユニット１０に出力したりする。また、ＤＣ分電盤８は、信号線２０を介して制御ユニット９とデータやり取りをしたり、信号線２１を介してリレーユニット１０とデータをやり取りしたりする。
【００１９】
制御ユニット９には、複数のＤＣ機器５，５…が接続されている。これらＤＣ機器５は、直流電力及びデータの両方を１対の線によって搬送可能な直流供給線路２２を介して制御ユニット９と接続されている。直流供給線路２２は、ＤＣ機器の電源となる直流電圧に、高周波の搬送波によりデータを電送する通信信号を重畳する、いわゆる電力線搬送通信により、１対の線で電力及びデータの両方をＤＣ機器５に搬送する。制御ユニット９は、直流系電力線１８を介してＤＣ機器５の直流電源を取得し、ＤＣ分電盤８から信号線２０を介して得る動作指令を基に、どのＤＣ機器５をどのように制御するのかを把握する。そして、制御ユニット９は、指示されたＤＣ機器５に直流供給線路２２を介して直流電圧及び動作指令を出力し、ＤＣ機器５の動作を制御する。
【００２０】
制御ユニット９には、宅内のＤＣ機器５の動作を切り換える際に操作するスイッチ２３が直流供給線路２２を介して接続されている。また、制御ユニット９には、例えば赤外線リモートコントローラからの発信電波を検出するセンサ２４が直流供給線路２２を介して接続されている。よって、ＤＣ分電盤８からの動作指示のみならず、スイッチ２３の操作やセンサ２４の検知によっても、直流供給線路２２に通信信号を流してＤＣ機器５が制御される。
【００２１】
リレーユニット１０には、複数のＤＣ機器５，５…がそれぞれ個別の直流系電力線２５を介して接続されている。リレーユニット１０は、直流系電力線１９を介してＤＣ機器５の直流電源を取得し、ＤＣ分電盤８から信号線２１を介して得る動作指令を基に、どのＤＣ機器５を動作させるのかを把握する。そして、リレーユニット１０は、指示されたＤＣ機器５に対し、内蔵のリレーにて直流系電力線２５への電源供給をオンオフすることで、ＤＣ機器５の動作を制御する。また、リレーユニット１０には、ＤＣ機器５を手動操作するための複数のスイッチ２６が接続されており、スイッチ２６の操作によって直流系電力線２５への電源供給をリレーにてオンオフすることにより、ＤＣ機器５が制御される。
【００２２】
ＤＣ分電盤８には、例えば壁コンセントや床コンセントの態様で住宅に建て付けられた直流コンセント２７が直流系電力線２８を介して接続されている。この直流コンセント２７にＤＣ機器のプラグ（図示略）を差し込めば、同機器に直流電力を直接供給することが可能である。
【００２３】
また、系統２とＡＣ分電盤１１との間には、系統２の使用量を遠隔検針可能な電力メータ２９が接続されている。電力メータ２９には、商用電源使用量の遠隔検針の機能のみならず、例えば電力線搬送通信や無線通信の機能が搭載されている。電力メータ２９は、電力線通信や無線通信等を介して検針結果を電力会社等に送信する。
【００２４】
電力供給システム１には、宅内の各種機器をネットワーク通信によって制御可能とするネットワークシステム３０が設けられている。ネットワークシステム３０には、同システム３０のコントロールユニットとして宅内サーバ３１が設けられている。宅内サーバ３１は、インターネットなどのネットワークＮを介して宅外の管理サーバ３２と接続されるとともに、信号線３３を介して宅内機器３４に接続されている。また、宅内サーバ３１は、ＤＣ分電盤８から直流系電力線３５を介して取得する直流電力を電源として動作する。
【００２５】
宅内サーバ３１には、ネットワーク通信による宅内の各種機器の動作制御を管理するコントロールボックス３６が信号線３７を介して接続されている。コントロールボックス３６は、信号線１７を介してコントロールユニット７及びＤＣ分電盤８に接続されるとともに、直流供給線路３８を介してＤＣ機器５を直接制御可能である。コントロールボックス３６には、例えば使用したガス量や水道量を遠隔検針可能なガス／水道メータ３９が接続されるとともに、ネットワークシステム３０の操作パネル４０に接続されている。操作パネル４０には、例えばドアホン子器やセンサやカメラからなる監視機器４１が接続されている。
【００２６】
宅内サーバ３１は、ネットワークＮを介して宅内の各種機器の動作指令を入力すると、コントロールボックス３６に指示を通知して、各種機器が動作指令に準じた動作をとるようにコントロールボックス３６を動作させる。また、宅内サーバ３１は、ガス／水道メータ３９から取得した各種情報を、ネットワークＮを通じて管理サーバ３２に提供可能であるとともに、監視機器４１で異常検出があったことを操作パネル４０から受け付けると、その旨もネットワークＮを通じて管理サーバ３２に提供する。
【００２７】
図２に示すように、コントロールユニット７には、太陽電池３と繋がるＤＣ／ＤＣコンバータ４２が設けられている。ＤＣ／ＤＣコンバータ４２は、太陽電池３からの直流電圧を所定値に変換し、変換後の直流電圧をＤＣ分電盤８や蓄電池ユニット１６に出力する。ＤＣ分電盤８に出力された直流電力は、機器電源としてＤＣ機器５に供給される。また、蓄電池ユニット１６に出力された直流電力は、蓄電池ユニット１６内の蓄電池４３に蓄電される。
【００２８】
コントロールユニット７には、ＡＣ分電盤１１に繋がる双方向ＡＣ／ＤＣコンバータ４４が設けられている。双方向ＡＣ／ＤＣコンバータ４４は、交流の入力電圧を直流電圧に変換出力するＡＣ／ＤＣコンバータ４４ａと、直流の入力電圧を交流電圧に変換出力するＤＣ／ＡＣインバータ４４ｂとからなる。双方向ＡＣ／ＤＣコンバータ４４は、系統２から取得した交流電力を、ＡＣ／ＤＣコンバータ４４ａによって直流電力に変換してＤＣ分電盤８や蓄電池ユニット１６に出力したり、或いは例えば太陽電池３から取得した直流電力を、ＤＣ／ＡＣインバータ４４ｂによって交流電力に変換してＡＣ分電盤１１に供給したりする。
【００２９】
蓄電池ユニット１６には、蓄電池４３に対する充電動作を実行する充電回路４５が設けられている。充電回路４５は、コントロールユニット７から供給される直流電力を基に、蓄電池４３を充電する。また、蓄電池ユニット１６には、蓄電池４３の放電動作を実行する放電回路４６が設けられている。放電回路４６は、蓄電池４３に蓄えられた電荷を、例えば所定値の直流電圧として放電し、これをＤＣ機器５の動作電源として供給する。
【００３０】
電力供給システム１には、同システム１の電源供給源（以降、システム電源と記す）を設定する電源管理システム４７が設けられている。ところで、蓄電池４３は、急激に出力電力を上げると、その分だけ劣化するのが早くなってしまう欠点がある。よって、本例の電源管理システム４７は、電力供給システム１で必要な負荷電力Ｗｐが大きい場合、蓄電池４３に過酷な動作をとらせないために、蓄電池４３のみでの電力供給を不可として、蓄電池４３以外の他の電源で電源供給を補助し、逆に同システム１で必要な負荷電力Ｗｐが小さい場合、蓄電池４３のみでの電力供給を許可する。なお、負荷電力Ｗｐが負荷容量に相当する。
【００３１】
この場合、蓄電池ユニット１６には、蓄電池４３の電池残量Ｖｄを検出する蓄電池容量検出回路４８が設けられている。蓄電池容量検出回路４８は、蓄電池４３の電池残量Ｖｄを定期的に検出し、その検出信号をコントロールユニット７に出力する。なお、蓄電池容量検出回路４８が蓄電池残量検出手段に相当する。
【００３２】
コントロールユニット７には、電力供給状態にあるＤＣ機器５の総量を検出する電力計測回路４９が設けられている。電力計測回路４９は、コントロールユニット７からＤＣ分電盤８に供給されている負荷電力Ｗｐを見ることによって、使用状態にあるＤＣ機器５の総量を検出する。例えば、ＤＣ機器５が多く使用されていれば、負荷電力Ｗｐは高い値をとり、使用されているＤＣ機器５が少なければ、負荷電力Ｗｐは低い値をとる。なお、電力計測回路４９が負荷容量検出手段に相当する。
【００３３】
コントロールユニット７には、電源管理システム４７のコントロールユニットとして制御回路５０が設けられている。制御回路５０は、蓄電池容量検出回路４８に繋がり、蓄電池容量検出回路４８から蓄電池４３の電池残量Ｖｄを取得する。また、制御回路５０は、電力計測回路４９に繋がり、電力計測回路４９から負荷電力Ｗｐを取得する。制御回路５０は、これら負荷電力Ｗｐ及び電池残量Ｖｄを基にして、双方向ＡＣ／ＤＣコンバータ４４やＤＣ／ＤＣコンバータ４２や蓄電池ユニット１６を制御して、システム電源を好適な電源、又は組み合わせに設定する。なお、制御回路５０が蓄電池制御手段を構成する。
【００３４】
制御回路５０のメモリ５１には、図３に示すような、システム電源を設定する際に参照するマップ５２が登録されている。制御回路５０は、このマップ５２を参照して、システム電源を設定する。マップ５２は、縦軸が蓄電池４３の電池残量Ｖｄで、横軸が負荷電力Ｗｐとなっている。このマップ５２の縦軸には、バックアップとして蓄電池４３が最低限蓄えておかねばならない電池残量として電池残量閾値Ｙが設定されている。また、このマップ５２の横軸には、蓄電池４３を過酷な動作状況に陥らせてしまうか否かの基準として負荷電力閾値Ｘが設定されている。なお、マップ５２が蓄電池制御手段を構成し、負荷電力閾値Ｘが負荷閾値に相当し、電池残量閾値Ｙが残量閾値及び第１残量閾値を構成する。
【００３５】
マップ５２は、電池残量Ｖｄが電池残量閾値Ｙ以上で、かつ負荷電力Ｗｐが負荷電力閾値Ｘ未満の領域（図３の実線斜線領域：第１領域Ｅ１と記す）が、蓄電池４３を単独でシステム電源とする領域に設定されている。マップ５２は、電池残量Ｖｄが電池残量閾値Ｙ以上で、かつ負荷電力Ｗｐが負荷電力閾値Ｘ以上の領域（図３のドット領域：第２領域Ｅ２と記す）が、蓄電池４３及びＡＣ／ＤＣコンバータ４４ａから供給される電力をシステム電源とする領域に設定されている。マップ５２は、電池残量Ｖｄが電池残量閾値Ｙ未満の領域（図３の一点斜線領域：第３領域Ｅ３と記す）が、ＡＣ／ＤＣコンバータ４４ａからの電力をシステム電源とする領域に設定されている。
【００３６】
さて、例えば蓄電池４３の電池残量Ｖｄが電池残量閾値Ｙ以上をとり、しかも負荷電力Ｗｐが負荷電力閾値Ｘ未満をとる場合、マップ５２上の点は第１領域Ｅ１に重なる。このときは、蓄電池４３に充分な電池残量Ｖｄが残っており、かつ電力供給システム１には低い負荷しか繋がっていなので、システム電源を蓄電池４３としても何ら問題はない。よって、このときは、システム電源を蓄電池４３のみから供給する。
【００３７】
このとき、制御回路５０は、ＡＣ／ＤＣコンバータ４４ａをオフにして動作させず、放電回路４６のみを動作させる。これにより、蓄電池４３の電荷がコントロールユニット７を介してＤＣ機器５，５…に供給され、蓄電池４３からの電力を電源としてＤＣ機器５，５…が動作される。
【００３８】
また、蓄電池４３の電池残量Ｖｄが電池残量閾値Ｙ以上をとり、しかも負荷電力Ｗｐが負荷電力閾値Ｘ以上をとる際、マップ５２上の点は第２領域Ｅ２に重なる。このときは、蓄電池４３の電池残量Ｖｄは充分に残っているものの、電力供給システム１に多量のＤＣ機器５が繋がっているので、このときのシステム電源を蓄電池４３のみとすると、蓄電池４３に高負荷がかかってしまい好ましくない。よって、このときは、システム電源を蓄電池４３及びＡＣ／ＤＣコンバータ４４ａから供給し、ＡＣ／ＤＣコンバータ４４ａから得る電力によって蓄電池４３の電源供給動作を補助する。
【００３９】
このとき、制御回路５０は、ＡＣ／ＤＣコンバータ４４ａ及び放電回路４６をともに動作させ、蓄電池４３から供給される電荷と、ＡＣ／ＤＣコンバータ４４ａから供給される系統２の電力とを、ＤＣ機器５に流す。即ち、制御回路５０は、蓄電池４３の放電を低く抑え、足りない分を系統２から補う。これにより、電力供給システム１に多量のＤＣ機器５が繋がって負荷電力Ｗｐが大きくなっていても、蓄電池４３を過酷な状況とせずに、これらに電力供給を行うことが可能となる。
【００４０】
また、蓄電池４３の電池残量Ｖｄが電池残量閾値Ｙ未満をとる際、マップ５２上の点は第３領域Ｅ３に重なる。このときは、蓄電池の電池残量Ｖｄがあまり残っていないので、蓄電池４３にバックアップとして最低限必要な電力を残しておかなくてはならないことから、これ以上、蓄電池４３の電力を使用するのは好ましくない。よって、このときは、システム電源をＡＣ／ＤＣコンバータ４４ａのみから供給する。
【００４１】
このとき、制御回路５０は、放電回路４６をオフして動作させず、ＡＣ／ＤＣコンバータ４４ａのみを動作させる。これにより、ＡＣ／ＤＣコンバータ４４ａから供給される系統２の電力がＤＣ機器５，５…に供給され、系統２の電力を電源としてＤＣ機器５，５…が動作される。
【００４２】
従って、本例の場合、負荷電力Ｗｐが小さい場合（負荷電力Ｗｐが負荷電力閾値Ｘ未満の場合）には、システム電源を蓄電池４３のみとして蓄電池４３単独での電力供給が許可され、逆に負荷電力Ｗｐが大きい場合（負荷電力Ｗｐが負荷電力閾値Ｘ以上の場合）には、蓄電池４３のみシステム電源とすることが不可となる。よって、負荷電力Ｗｐが大きい際に蓄電池４３のみをシステム電源として蓄電池４３を劣化させてしまう状況がなくなるので、蓄電池４３を過酷な状況下で使用させずに済み、結果として蓄電池４３の寿命を長寿命化することが可能となる。
【００４３】
また、蓄電池４３の電池残量Ｖｄが多く残っている場合（電池残量Ｖｄが電池残量閾値Ｙ以上の場合）には、蓄電池４３の使用が許可され、電池残量Ｖｄが少ない場合（電池残量Ｖｄが電池残量閾値Ｙ未満の場合）には、蓄電池４３の使用が不可に設定される。よって、蓄電池４３にバックアップとして必要な最低限の電力を残しておくことが可能となり、蓄電池４３を電源として動作する際にその電力が不足するような状況に陥り難くなる。
【００４４】
本実施形態の構成によれば、以下に記載の効果を得ることができる。
（１）負荷電力Ｗｐが小さい場合には、蓄電池４３のみでの電力供給が許可され、負荷電力Ｗｐが大きい場合には、蓄電池４３のみでの電力供給が不可となる。よって、負荷電力Ｗｐが大きいときに、その電力の全てを蓄電池４３からまかなわずに済むので、大電力を流し出すという負荷のかかる電力供給動作を蓄電池４３にとらせずに済む。よって、蓄電池４３を過酷に使用する頻度が少なく抑えられるので、その分だけ蓄電池４３を長寿命化することができる。
【００４５】
（２）蓄電池４３の電池残量Ｖｄが多く残っている場合には、蓄電池４３からの電力供給が許可され、電池残量Ｖｄが少ない場合には、蓄電池４３からの電力供給が不可となる。よって、蓄電池４３の電池残量Ｖｄが少ない際に蓄電池４３を電源として使用せずに済むので、バックアップとして最低限必要な電力を蓄電池４３に残しておくことができる。
【００４６】
なお、実施形態はこれまでに述べた構成に限らず、以下の態様に変更してもよい。
・図４に示すように、負荷電力Ｗｐの閾値（例えば、ＸとＸ１）を複数設定して、システム電源の設定を更に細分化してもよい。この場合、刻々と変わる都度の状況下において最も好ましいものをシステム電源として使用することが可能となる。
【００４７】
・自立発電電池は、太陽電池３に限定されず、例えば燃料電池としてもよい。
・負荷電力Ｗｐや電池残量Ｖｄの比較する閾値は、１つや２つに限定されず、適宜使用に応じて３つ以上に細分化してもよい。
【００４８】
・電池残量Ｖｄ側の閾値は、残量の下限を見る電池残量閾値Ｙに限定されず、例えば蓄電池４３が過放電にならないか否かの基準となる値（過放電閾値）としてもよい。ところで、蓄電池４３が過放電の状態になると、蓄電池４３が急激に劣化してしまう現状がある。しかし、この場合は、蓄電池４３が過放電の状態になり難いので、蓄電池４３をより一層劣化から保護することが可能となる。
【００４９】
・負荷容量検出手段は、負荷電力Ｗｐの総計を計測することで負荷容量を見る電力計測回路４９に限定されない。例えば、電力供給システム１に繋がるＤＣ機器５の総数を見ることで負荷容量を導き出してもよい。
【００５０】
・蓄電池残量検出手段である蓄電池容量検出回路４８は、例えば電流検出回路など、種々のものが採用可能である。
・太陽電池３から蓄電池４３に溜めた電力を、系統２に流して売電してもよい。
【００５１】
・蓄電池４３は、二次電池やコンデンサ等からなることに限定されず、電荷を溜めることができれば、どのような種のものを採用してもよい。
・蓄電池容量検出回路４８、電力計測回路４９、制御回路５０は、電力供給システム１の構成部品であれば、どこに配置されていてもよい。
【００５２】
・負荷電力Ｗｐが負荷電力閾値Ｘ以上となる際、蓄電池４３の使用を不可としてもよい。
・電力供給システム１は、住宅に使用されることに限らず、例えば工場等の他の建物に応用してもよい。
【００５３】
・系統２は、交流電圧を供給する商用交流電源に限らず、直流電圧を供給するものでもよい。
・定義として「蓄電池のみでの電力供給」とは、蓄電池をメインとして少量ながら他電源から電力補助を受ける電力供給動作も広義として含むものとする。
【００５４】
次に、上記実施形態及び別例から把握できる技術的思想について、それらの効果とともに以下に追記する。
（イ）請求項１〜３のいずれかにおいて、前記蓄電池制御手段は、前記閾値（負荷閾値、残量）よりも大きな値として設定された第２閾値と、当該閾値よりも大きな値として設定された第３基準値とを用い、前記蓄電池の使用状態を設定する。この構成によれば、閾値や基準値を多段階で設定するので、刻々と変わる都度の状況下において最も好ましいものを電源として使用することが可能となる。
【００５５】
（ロ）請求項１〜３、前記技術的思想（イ）のいずれかにおいて、前記負荷に電力線通信を介して電力及びデータを供給して、該負荷を制御する電力線通信制御部を備えた。この構成によれば、電力線通信によって負荷を制御することが可能となるので、少ない配線で負荷に電力及びデータを供給することが可能となる。
【符号の説明】
【００５６】
１…電力供給システム、２…系統としての商用交流電源、３…自立発電電池としての太陽電池、５…負荷を構成するＤＣ機器、６…負荷を構成するＡＣ機器、４３…蓄電池、４８…蓄電池残量検出手段としての蓄電池容量検出回路、４９…負荷容量検出手段としての電力計測回路、５０…蓄電池制御手段を構成する制御回路、５２…蓄電池制御手段を構成するマップ、Ｗｐ…負荷容量としての負荷電力、Ｘ…負荷閾値としての負荷電力閾値、Ｖｄ…電池残量、Ｙ…残量閾値、第１残量閾値を構成する電池残量閾値。
【図１】
2011083059.tif 000003
【図２】
2011083059.tif 000004
【図３】
2011083059.tif 000005
【図４】
2011083059.tif 000006